(57)【要約】【課題】縮小機能性のユーザ端末においてレガシースプーフィングを検出するための装置および方法。【解決手段】逆適合性は、レガシーノードがこれらの同じフィールドを実行する方法とは異なる手法でシステム内の新ノードまたは新局によって実行されるフィールドまたは他のインジケータの使用を必要とする可能性がある。ある環境では、これらのインジケータは、これらのレガシーノードからの妨害無しに次世代プロトコルを実行させるために、特定の方法で動作するように“スプーフ”レガシーノードに使用されることができる。この実施が通信の有効性を増加させる一方で、スプーフィングはレガシーノードの能率の悪い運用に導くかもしれない。レガシーノードは、伝送されたメッセージのレガシー部分内のフィールド設定を検出すること、またはメッセージ内の位相シフトを検出することを含む、スプーフィングを検出できる。【選択図】      図４
2008516530.tif 000002
【特許請求の範囲】
【請求項１】
メッセージを受信するように構成された受信器と、なお該メッセージの第１の部分は第１の通信フォーマットで送信され、該メッセージは第２の通信フォーマットが該メッセージの第２の部分を送信するために使用される時に代替のフォーマットインジケータを含み、および
該代替のフォーマットインジケータを検出し、該代替のフォーマットインジケータが検出される時に該メッセージの該第２の部分の送信のための持続期間を決定し、そして該代替のフォーマットインジケータが検出される時に該決定された持続期間の間該受信器に低パワー状態に入るように指示するように構成されたプロセッサと
を含む装置。
【請求項２】
該代替のフォーマットインジケータが該メッセージの部分への位相シフトを備える、請求項１記載の装置。
【請求項３】
該代替のフォーマットインジケータが該メッセージ内に設定されたフィールドである、請求項１記載の装置。
【請求項４】
該メッセージ内の１つまたはそれ以上のフィールドを復号するように構成された復号器をさらに含み、該プロセッサは該１つまたはそれ以上の復号化フィールドに応じて該低パワー状態にとどまるための持続期間を決定する請求項１記載の装置。
【請求項５】
メッセージを受信するように構成された受信器と、なお該メッセージの第１の部分は第１の通信フォーマットで送信され、該メッセージは第２の通信フォーマットが該メッセージの第２の部分を送信するために使用される時に代替のフォーマットインジケータを含み、そして
該代替のフォーマットインジケータを検出するための手段と
を含む装置。
【請求項６】
該メッセージの持続期間を決定するための手段をさらに含む、請求項５記載の装置。
【請求項７】
該代替のフォーマットインジケータの検出時にパワーを減少させるための手段をさらに具備する、請求項５記載の装置。
【請求項８】
該代替のフォーマットインジケータの検出時に代替の通信チャネル上で通信するための手段をさらに具備する、請求項５記載の装置。
【請求項９】
該代替のフォーマットインジケータを検出するための該手段が、該受信メッセージ内の位相シフトを検出するための手段を備える、請求項５記載の装置。
【請求項１０】
該代替のフォーマットインジケータを検出するための該手段が、該メッセージ内に設定する代替のフォーマットインジケータフィールドを検出するための手段を備える、請求項５記載の装置。
【請求項１１】
メッセージを受信すること、なお該メッセージの第１の部分は第１の通信フォーマットで送信され、該メッセージは第２の通信フォーマットが該メッセージの第２の部分を送信するために使用される時に代替のフォーマットインジケータを含み、
該代替のフォーマットインジケータを検出すること、
該代替のフォーマットインジケータが検出される時に該メッセージの該第２の部分の送信のための持続期間を決定すること、そして
該代替のフォーマットインジケータが検出される時に該決定された持続期間の間低パワー状態に入ること、
を含む方法。
【請求項１２】
該代替のフォーマットインジケータが位相シフトを有する該メッセージの部分の送信である、請求項１１記載の方法。
【請求項１３】
該代替のフォーマットインジケータが該メッセージ内に設定されたフィールドである、請求項１１記載の方法。
【請求項１４】
さらに、該メッセージ内の１つまたはそれ以上のフィールドを復号すること、および
該１つまたはそれ以上の復号化フィールドに応じて該低パワー状態にとどまるための持続期間を決定すること
を含む、請求項１１記載の方法。
【請求項１５】
該メッセージが１つまたはそれ以上のレガシーフィールドおよび１つまたはそれ以上の拡張フィールドを含み、そして
該持続期間が該１つまたはそれ以上の拡張フィールドから決定される、請求項１１記載の方法。
【請求項１６】
１つまたはそれ以上の該レガシーフィールドに関して設定された該値が１つまたはそれ以上の類似の拡張フィールドに関して設定された該値とは異なる、請求項１５記載の方法。
【請求項１７】
該メッセージの第１の部分が第１の通信フォーマットで送信され、そして該メッセージの第２の部分が第２の通信フォーマットで送信され、復号化のための該１つまたはそれ以上のフィールドは該メッセージの該第２の部分内の該第２の通信フォーマットで送信される、請求項１４記載の方法。
【請求項１８】
低パワー状態に入ることが１チャネルの復号化をディスエーブルにすることを含む、請求項１１記載の方法。
【請求項１９】
低パワー状態に入ることが１チャネルの受信をディスエーブルにすることを含む、請求項１１記載の方法。
【請求項２０】
低パワー状態に入ることが代替の通信チャネルモニタすることを含み、該代替の通信チャネルは該メッセージが受信された該通信チャネルとは異なる、請求項１１記載の方法。
【請求項２１】
低パワー状態に入ることが該低パワー状態を離れた後の使用のためのバックオフ手順を修正することを含む、請求項１１記載の方法。
【請求項２２】
メッセージを受信すること、なお該メッセージは第１の位相で送信された第１の部分および第２の位相で送信された第２の部分を含み、該第２の位相は該第１の位相とは異なり、
該第１の部分と該第２の部分との間の位相差を検出すること、および
該位相差が検出される時に低パワー状態に入ること、
を含む方法。
【請求項２３】
さらに、該メッセージ内の１つまたはそれ以上のフィールドを復号すること、および
該１つまたはそれ以上の復号化フィールドに応じて該低パワー状態にとどまるための持続期間を決定すること
を含む請求項２２記載の方法。
【請求項２４】
該メッセージが１つまたはそれ以上のレガシーフィールドおよび１つまたはそれ以上の拡張フィールドを含み、そして
該持続期間が該１つまたはそれ以上の拡張フィールドから決定される、請求項２３記載の方法。
【請求項２５】
１つまたはそれ以上の該レガシーフィールドに関して設定された該値が、１つまたはそれ以上の類似の拡張フィールドに関して設定された該値とは異なる、請求項２４記載の方法。
【請求項２６】
該メッセージの第１の部分が第１の通信フォーマットで送信され、および該メッセージの第２の部分が第２の通信フォーマットで送信され、復号化のための該１つまたはそれ以上のフィールドは該メッセージの該第２の部分内の該第２の通信フォーマットで送信される、請求項２３記載の方法。
【請求項２７】
メッセージを受信すること、なお該メッセージの第１の部分は第１の通信フォーマットで送信され、該メッセージは該第１の通信フォーマットのパラメータを設定するための１つまたはそれ以上のフィールドを含み、
該１つまたはそれ以上のフィールドを復号すること、および
復号化フィールドが該第１の通信フォーマットによるサポートのない値に設定される時に低パワー状態に入ること
を含む方法。
【請求項２８】
該１つまたはそれ以上のフィールドが予備ビットを備える、請求項２７記載の方法。
【請求項２９】
該１つまたはそれ以上のフィールドがレートフィールドを備える、請求項２７記載の方法。
【請求項３０】
該１つまたはそれ以上のフィールドが長さフィールドを備える、請求項２７記載の方法。
【請求項３１】
該１つまたはそれ以上の復号化フィールドに応じて該低パワー状態にとどまるための持続期間を決定することをさらに含む、請求項２７記載の方法。
【請求項３２】
該メッセージが１つまたはそれ以上のレガシーフィールドおよび１つまたはそれ以上の拡張フィールドを含み、そして
該持続期間が該１つまたはそれ以上の拡張フィールドから決定される、請求項３１記載の方法。
【請求項３３】
１つまたはそれ以上の該レガシーフィールドに関して設定された該値が１つまたはそれ以上の類似の拡張フィールドに関して設定された該値とは異なる、請求項３２記載の方法。
【請求項３４】
該メッセージの第２の部分が第２の通信フォーマットで送信され、および復号化のための該１つまたはそれ以上のフィールドは該メッセージの該第２の部分内の該第２の通信フォーマットで送信される、請求項２７記載の方法。
【発明の詳細な説明】
【技術分野】
【０００１】
この発明は一般に無線通信に関し、そしてより詳しくは強化されたブロック承認に関する。
【０００２】
［関連出願］
この出願は２００４年１０月５日提出の仮出願番号第６０／６１６，３３６号、タイトル“無線ネットワークにおいてノードの能力を保証するための方法と装置（Ｍｅｔｈｏｄ  ａｎｄ  Ａｐｐａｒａｔｕｓ  ｆｏｒ  Ｅｎｓｕｒｉｎｇ  Ｎｏｄｅ  Ｃａｐａｂｉｌｉｔｙ  Ｉｎ  Ｗｉｒｅｌｅｓｓ  Ｎｅｔｗｏｒｋｓ）”への優先権を主張し、そしてこれについて譲受人に譲渡されそしてそれによってこの中に引用されて明確に組み込まれる。
【背景技術】
【０００３】
無線通信システムは音声およびデータのようないろいろなタイプの通信を提供するために広く展開される。典型的な無線データシステム、またはネットワークは複数のユーザに１つまたはそれ以上の共有資源へのアクセスを提供する。システムは周波数分割多重化(ＦＤＭ)、時分割多重化（ＴＤＭ）、符号分割多重化（ＣＤＭ）、等のような種々様々な多重アクセス技術を使用することができる。
【０００４】
実例の無線ネットワークはセルラベースのデータシステムを含む。以下はいくつかのそのような実例である：（１）“デュアルモード・ワイドバンド・スペクトル拡散セルラシステム用のＴＩＡ／ＥＩＡ−９５−Ｂ移動局−基地局適合性標準（ＴＩＡ／ＥＩＡ−９５−Ｂ  Ｍｏｂｉｌｅ  Ｓｔａｔｉｏｎ−Ｂａｓｅ  Ｓｔａｔｉｏｎ  Ｃｏｍｐａｔｉｂｉｌｉｔｙ  Ｓｔａｎｄａｒｄ  ｆｏｒ  Ｄｕａｌ−Ｍｏｄｅ  Ｗｉｄｅｂａｎｄ  Ｓｐｒｅａｄ  Ｓｐｅｃｔｒｕｍ  Ｃｅｌｌｕｌａｒ  Ｓｙｓｔｅｍ）”（ＩＳ−９５標準）、（２）“第３世代パートナーシップ・プロジェクト”（３ＧＰＰ）と命名された共同企業体によって提供され、そして文書番号第３Ｇ  ＴＳ２５．２１１号、第３Ｇ  ＴＳ２５．２１２号、第３Ｇ  ＴＳ２５．２１３号、および第３Ｇ  ＴＳ２５．２１４号を含む１組の文書内に具体化された標準（Ｗ−ＣＤＭＡ標準）、（３）“第３世代パートナーシップ・プロジェクト２”（３ＧＰＰ２）と命名された共同企業体によって提供され、そしてｃｄｍａ２０００スペクトル拡散システム用のＴＲ-４５．５物理層標準”内に具体化された標準（ＩＳ−２０００標準）、および（４）ＴＩＡ／ＥＩＡ／ＩＳ−８５６標準（ＩＳ−８５６標準）に従う高データレート（ＨＤＲ）システム。
【０００５】
無線システムの他の実例はＩＥＥＥ８０２．１１標準（即ち、８０２．１１（ａ）、（ｂ）、または（ｇ））のような無線ローカルエリアネットワーク（ＷＬＡＮ）を含む。これらのネットワーク上での改善は直交周波数分割多重化（ＯＦＤＭ）変調技術を具備する複入力複出力（ＭＩＭＯ）ＷＬＡＮを展開することにおいて達成されることができる。ＩＥＥＥ８０２．１１（ｅ）は以前の８０２．１１標準のいくつかの欠点を改善するために導入された。
【０００６】
無線システム設計が進歩したので、より高いデータレートが使用可能となった。より高いデータレートは、その中には音声、ビデオ、高速データ伝送、およびいろいろな他のアプリケーションがある、進歩したアプリケーションの実現性を開拓した。しかしながら、いろいろなアプリケーションはそれらのそれぞれのデータ転送に関する要求条件が異なるかもしれない。多くのタイプのデータは待ち時間(latency)および処理能力(throughput)条件、あるいは必要なあるサービス品質（ＱｏＳ）保証を有するかもしれない。資源管理無しに、システムの容量は縮小されることができ、そしてこのシステムは効率的に動作することはできない。
【０００７】
中間アクセス制御（ＭＡＣ）プロトコルは一般に多数のユーザ間に共有の通信資源を割り当てるために使用される。ＭＡＣプロトコルは一般にデータを送受信するために使用された物理層により高い層をインターフェイス接続する。データレートにおける増加で利益を得るために、ＭＡＣプロトコルは共有資源を効率的に使用するように設計されねばならない。
【０００８】
新ＭＡＣプロトコルが開発されるので、ユーザ端末はレガシーであり続けるであろう。ＭＡＣプロトコルはレガシー端末と相互運用するように設計されることができる。そのような相互運用を実行するために、技術はレガシー端末により新しいプロトコルに従って通信している端末によって共有資源にアクセスまたは通信することを可能にするためにある方法で実行させるように展開されることができる。そのようなステップを取ることになってレガシー端末を欺く、そのような技術は“スプーフィング(spoofing)”と呼ばれることができる。ある環境では、スプーフィングはより新しい通信プロトコルを運用させることができ、そしてそれと関連した利益があることができ、なおスプーフド(spoofed)ユーザ端末は望ましくない結果を経験するかもしれない。したがってレガシーまたは縮小機能性のユーザ端末においてレガシースプーフィングを検出することについてこの分野での要求がある。
【０００９】
この中に開示された実施形態は縮小機能性のユーザ端末においてレガシースプーフィングを検出することについてこの分野での要求を提起する。
【発明の開示】
【発明を解決するための手段】
【００１０】
[発明の概要]
1つの局面に従って、１装置が記述され、それはメッセージを受信する受信器を含み、このメッセージの第１の部分は第１の通信フォーマットで送信され、このメッセージは第２の通信フォーマットがメッセージの第２の部分を送信するために使用される時に代替のフォーマットインジケータ(alternate format indicator)を具備し、そして代替のフォーマットインジケータを検出するプロセッサを含み、この代替のフォーマットインジケータが検出される時にメッセージの第２の部分の送信のための持続期間を決定し、そして代替のフォーマットインジケータが検出される時に決定された持続期間の間受信器に低パワー状態に入るように指示する。
【００１１】
もう１つの局面に従って、１装置が記述され、それはメッセージを受信する受信器を含み、このメッセージの第１の部分は第１の通信フォーマットで送信され、このメッセージは第２の通信フォーマットがメッセージの第２の部分を送信するために使用される時に代替のフォーマットインジケータを具備し、そして代替のフォーマットインジケータを検出するための手段を含む。
【００１２】
もう１つの局面に従って、１方法がメッセージを受信することに関して開示され、メッセージの第１の部分は第１の通信フォーマットで送信され、メッセージの第２の通信フォーマットがメッセージの第２の部分を送信するために使用される時に代替のフォーマットインジケータを具備し、代替のフォーマットインジケータを検出し、代替のフォーマットインジケータが検出される時にメッセージの第２の部分の送信のための持続期間を決定し、そして代替のフォーマットインジケータが検出される時に決定された持続期間の間低パワー状態に入る。
【００１３】
もう１つの局面に従って、１方法がメッセージを受信することに関して開示され、メッセージは第１の位相で送信された第１の部分および第２の位相で送信された第２の部分を具備し、第２の位相は第１の位相とは異なり、第１の部分と第２の部分との間の位相差を検出し、そして位相差が検出される時に低パワー状態に入る。
【００１４】
もう１つの局面に従って、１方法がメッセージを受信することに関して開示され、メッセージの第１の部分は第１の通信フォーマットで送信され、メッセージは第１の通信フォーマットのパラメータを設定するための１つまたはそれ以上のフィールドを具備し、１つまたはそれ以上のフィールドを復号し、そして復号化フィールドが第１の通信フォーマットによるサポートのない値に設定される時に低パワー状態に入る。
【００１５】
もう１つの局面に従って、コンピュータ可読媒体が開示され、メッセージを受信することを実行可能とし、メッセージの第１の部分は第１の通信フォーマットで送信され、メッセージは第２の通信フォーマットがメッセージの第２の部分を送信するために使用される時に代替のフォーマットインジケータを具備し、代替のフォーマットインジケータを検出し、代替のフォーマットインジケータが検出される時にメッセージの第２の部分の送信のための持続期間を決定し、そして代替のフォーマットインジケータが検出される時に決定された持続期間の間低パワー状態に入る。
【００１６】
いろいろな他の局面および実施形態も開示される。
【発明を実施するための最良の形態】
【００１７】
［発明の詳細な説明］
通信プロトコルが発展し、そして次世代標準が定義されるので、逆適合性(backward compatibility)はレガシーノード(legacy node)がこれらの同じフィールドを実行する方法とは異なる手法でシステム内の新ノードまたは新局によって実行されるフィールドまたは他のインジケータの使用を必要とする可能性がある。ある環境では、これらのインジケータは特定の方法で動作するようにレガシーノードに指示するために慎重に使用されることができる。次世代標準はこれらのレガシーノードからの妨害無しに“トリック(trick)”レガシーノードに次世代プロトコルを実行させたいので、そのような使用はスプーフィングと呼ばれることができる。この実施は一般に、より高処理能力、より低パワー、より高容量等を含む、通信効率を増加させるように展開される一方で、スプーフィングはレガシーノードの非効率的な運用に導くかもしれない。
【００１８】
多くの場合に、それはどんな方法がレガシーノードをだます(spoof)ために使用されるかを知ることになる間でさえ、レガシーノードは生成され続けるかもしれない。例えば、もしも次世代標準が適合性のあるノードに高い複雑性とコスト条件とを負わせるならば、これは発生する。この場合に、その中で次世代標準がレガシーフィールド(legacy field)の解釈を定義する手法に気がつくことはレガシーノードに望ましいかもしれない。“スマートな(smart)”レガシーノードはスプーフィングを検出し、そしてスプーフィングが引き起こすかもしれない望ましくない影響を減らすために適当なステップを取ることができる。従って、スマートなレガシーノードはレガシーフィールドの新解釈を理解して、もっと効率的に運用することができる。そのようなスマートなレガシーノード(legacy node)はこの中では縮小機能性のユーザ端末と呼ばれることができる。ユーザ端末は完全な次世代をサポートするように展開され得るが、しかし、下文でさらに記述されるように、縮小機能性のモードについても提供され得ることに注意されたい。
【００１９】
実例の実施形態は８０２．１１ｎ標準を使用して下記され、それは現存の（またはレガシー）標準８０２．１１ａ／ｇ（８０２．１１−２００３）と適合するように設計されるべきである。記述された実施形態は複数の標準に関して均等に適用可能であり、そして８０２．１１ｎおよび８０２．１１ａ／ｇ適合性に限定されない。さらに、下に提供された実施形態がフレーズ“逆適合性”を使用できる一方で、この実施形態は複数の標準または標準の複数のバージョンあるいはそれの任意の組合わせのノードの間の任意の種類の適合性に均等に適用可能である。
【００２０】
この中で使用されたように、標準を逆適合性が望まれる初期の標準と区別するために、術語“高処理能力”はより新しいシステム、あるいはレガシーシステムとは異なる運用クラスを定義しているシステムに関して使用される。再び、術語“レガシー”または“縮小機能性の”は逆（またはほかの）適合性モードで動作しているユーザ端末を記述するために使用されてもよい。上述したように、縮小機能性のまたはレガシーユーザ端末は交互に、この分野の通常の技術者には明白になるであろうように、交代モード(alternate mode)での全機能性を実行するように構成されることができる。
【００２１】
従って、この中に記述された１つまたはそれ以上の局面を組み込んでいるレガシー端末の実例の実施形態は、高処理能力システム（または任意の他の代替の通信標準）の１つまたはそれ以上の局面を検出するように装備された最新式の装置を含むことができ、従ってシステムのすべての特徴を必然的にサポートせずに対応することができる。
【００２２】
実例の高処理能力実施形態は、他の実例の実施形態の中で、無線ＬＡＮ（または新しく出現している伝送技術を使用する同様のアプリケーション）のための非常に高いビットレートとともに非常に効率的な運用をサポートすることがこの中に開示される。実例の高処理能力ＷＬＡＮは２０ＭＨｚの帯域幅で１００Ｍｂｐｓ（１００万ビット／秒）を超えるビットレートをサポートする。いろいろな代替のＷＬＡＮもサポートされる。
【００２３】
いろいろな実例の実施形態は、それの実例が８０２．１１（ａ〜ｅ）内に見つけ出される、レガシーＷＬＡＮシステムの分布調整運用の簡易さと強さとを保存する。そのようなレガシーシステムの逆適合性を維持する一方で、いろいろな実施形態の利点は達成されることができる。（下文の説明において、８０２．１１システムが実例のレガシーシステムとして記述されてもよいことに注意されたい。この分野の技術者は改良が代替システムおよび標準に適合することも認めるであろう。）
１例のＷＬＡＮはサブネットワークプロトコルスタックを備えることができる。サブネットワークプロトコルスタックは一般に、高データレート、高帯域幅物理層トランスポート機構をサポートすることができ、それはＯＦＤＭ変調、単搬送波変調技術、非常に高い効率の帯域幅運用のための複数の送信および複数の受信アンテナを使用しているシステム（複入力単出力（ＭＩＳＯ;Multiple Input Single output）システムを含む、複入力複出力（ＭＩＭＯ;Multiple Input Multiple output）システム）、同じタイムインターバルの間複数のユーザ端末へのまたはからのデータを送信するために空間多重化技術とともに複数の送信および受信アンテナを使用しているシステム、および複数のユーザのための伝送を同時に可能にするために符号分割多重アクセス（ＣＤＭＡ）技術を使用しているシステムに基づいたそれらのものを含むが、しかしそれに限定されない。代替の実例は単入力複出力（ＳＩＭＯ）および単入力単出力（ＳＩＳＯ）システムを含む。
【００２４】
この中に記述された１つまたはそれ以上の例示的な実施形態は無線データ通信システムの文脈で述べられる。この文脈内での使用が有利である一方で、この発明の種々の実施形態は種々の環境または構成内に組み込まれることができる。一般に、この中に記述されたいろいろなシステムはソフトウェア制御のプロセッサ、集積回路、またはディスクリート論理を使用して形成される。アプリケーションの全体を通して参照される可能性があるデータ、指示、命令、情報、信号、記号、およびチップは電圧、電流、電磁波、磁界または粒子、光学界または粒子、あるいはそれの組合わせによって好都合に表されることができる。さらに、各ブロック図内に示されたブロックはハードウェアまたは方法のステップを表すことができる。方法のステップは本発明の範囲から逸脱すること無しに置き換えられることができる。単語“例示的な”はこの中では“一例、事例、または実例として機能すること”を意味すべくこの中で使用される。この中で“例示的な”として記述された任意の実施形態は必ずしも他の実施形態以上に好ましいとか有利であると解釈されるべきではない。
【００２５】
図１は１つまたはそれ以上のユーザ端末（ＵＴ）１０６Ａ〜Ｎに接続されたアクセスポイント（ＡＰ）１０４を具備する、システム１００の実例の実施形態を描写する。ＵＴ１０６は真実のレガシー局、または縮小機能性のユーザ端末（即ち、スマートなレガシー端末）あるいは任意の組合わせであってもよい。８０２．１１の術語に従って、この文書では、ＡＰおよびＵＴは局、ＳＴＡまたはノードとも呼ばれる。この中に記述された技術および実施形態は他のタイプのシステム（実例は上に詳述されたセルラ標準を含む）にも適用可能である。この中で使用されたように、術語基地局は術語アクセスポイントと取り替えて使用されることができる。術語ユーザ端末は術語ユーザ装置（ＵＥ）、加入者ユニット、加入者局、アクセス端末、遠隔端末、移動局、またはこの分野で既知の他の類似の術語と取り替えて使用されることができる。術語移動局は固定無線アプリケーションを含む。
【００２６】
ユーザ端末１０６は互いに直接通信できることにも注目されたい。８０２．１１（ｅ）によって導入された、ダイレクトリンクプロトコル（ＤＬＰ）はＳＴＡにフレームを（同じＡＰによって制御された）ベーシックサービスセット（ＢＳＳ）内のもう１つの着局ＳＴＡに直接転送させる。いろいろな実施形態では、この分野で知られるように、アクセスポイントは必要ではない。例えば、独立ＢＳＳ（ＩＢＳＳ）はＳＴＡの任意の組合わせで形成されることができる。ユーザ端末のその場限りのネットワークは、この分野において既知の多数の通信フォーマットの任意のものを使用している無線ネットワーク１２０を介して互いに通信することで形成されることができる。
【００２７】
ＡＰとＵＴとは無線ローカルエリアネットワーク（ＷＬＡＮ）１２０を介して通信する。実例の実施形態では、ＷＬＡＮ１２０は高速ＭＩＭＯ  ＯＦＤＭシステムである。しかしながら、ＷＬＡＮ１２０は任意の無線ＬＡＮであってもよい。オプションとして、アクセスポイント１０４は任意の数の外部装置と通信するかまたはネットワーク１０２を介して処理する。ネットワーク１０２はインターネット、イントラネット、あるいは任意の他の有線、無線、または光ネットワークであってもよい。接続１１０はネットワークからの物理層信号をアクセスポイント１０４に運ぶ。装置または手順はネットワーク１０２にあるいはＷＬＡＮ１２０上の（またはそれとの接続を介して）ＵＴとして接続されてもよい。ネットワーク１０２またはＷＬＡＮ１２０のいずれかに接続されることができる装置の例は電話機、パーソナルディジタルアシスタント（ＰＤＡ）、いろいろな任意のタイプのコンピュータ（ラップトップ、パソコン、ワークステーション、任意のタイプの端末）、カメラ、カムコーダ、ウェブカム、およびバーチャルな任意の他のタイプのデータ装置のようなビデオ装置を含む。手順は音声、ビデオ、データ通信、等を含んでもよい。いろいろなデータストリームは、変動サービス品質（ＱｏＳ）技術を使用することによって適合させることができる、変動伝送条件を有してもよい。
【００２８】
また図１に示されたのは高処理能力（ＨＴ）ユーザ端末１０８Ａ〜ＮへのＷＬＡＮ１２０上の接続である。ＨＴユーザ端末１０８は、高処理能力システムとしてこの中で明確に引用して、次世代標準に従って動作している端末を示すために使用される。示されているように、ＨＴユーザ端末１０８がＡＰ１０４とまたは互いに直接通信できることは注目されたい。ＨＴ  ＵＴ１０８間に示された接続は高処理能力（または非レガシー）フォーマットに従って動作し、従ってこの接続はＵＴ１０６では示されない。示されない一方で、ＨＴ  ＵＴ１０８はまたレガシープロトコルに従ってＵＴ１０６と直接通信することもできることはこの分野の通常の技術者には明白であるだろう。
【００２９】
システム１００は集中ＡＰ１０４とともに展開されてもよい。すべてのＵＴ１０６と１０８とは１つの実例の実施形態ではＡＰと通信する。代替の実施形態では、２つのＵＴ間の直接のピアツーピア(peer-to-peer)通信は、この分野の技術者には明白であるだろうように、下に図示される実例のシステムへの修正で、適合させることができる。任意の局は指定されたアクセスポイントをサポートしている実施形態内の指定されたＡＰとしてセットアップされてもよい。アクセスはＡＰ、またはその場限り（即ち、競争ベース）で管理されてもよい。
【００３０】
１つの実施形態では、ＡＰ１０４はイーサネット（登録商標）適合を供給する。この場合には、ＩＰルータはＡＰのほかにネットワーク１０２（詳細は図示せず）への接続を供給するように展開されることができる。イーサネットフレームはＷＬＡＮサブネットワーク（詳細は下記）を介してルータとＵＴ１０６との間を転送されることができる。イーサネット適合および接続性はこの分野では周知である。
【００３１】
代替の実施形態では、ＡＰ１０４はＩＰ適合を供給する。この場合に、ＡＰは接続されたＵＴのセット（詳細は図示せず）のためのゲートウエイルータとして働く。この場合には、ＩＰデータグラムはＡＰ１０４によってＵＴ１０６へおよびから送られることができる。ＩＰ適合および接続性はこの分野では周知である。
【００３２】
図２はアクセスポイント１０４あるいはユーザ端末１０６または１０８として構成されることができる、無線通信装置の１例の実施形態を描写する。無線通信装置はシステム１００内の展開に適している、ＳＴＡの１例である。アクセスポイント１０４の構成は図２に示される。トランシーバ２１０はネットワーク１０２の物理層条件に従って接続１１０上で受信および送信する。ネットワーク１０２に接続された装置あるいはアプリケーションからのまたはへのデータはプロセッサ２２０に伝送される。これらのデータはフローとしてこの中で参照されることができる。フローは種々の特性を有してもよく、そしてこのフローに関連したアプリケーションのタイプに基づいた種々の処理を必要とするかもしれない。例えば、ビデオまたは音声は低い待ち時間フロー（一般にビデオは音声よりも高い処理能力条件を有する）として特徴付けられることができる。多くのデータアプリケーションは待ち時間にはあまり敏感ではないが、しかしより高いデータ統合条件を有することができる。（即ち、音声はあるパケットロスに耐えることができ、ファイル転送は一般にパケットロスには耐えられない）。
【００３３】
プロセッサ２２０はフローを受信して物理層上の伝送のためにそれらを処理するメディアアクセス制御（ＭＡＣ）処理ユニット（詳細は図示せず）を含んでもよい。プロセッサ２２０はまた物理層データを受信し、そして出フローのためのパケットを形成するためにこのデータを処理することができる。８０２．１１ＷＬＡＮ関連の制御およびシグナリングはまたＡＰとＵＴとの間で通信されることもできる。物理層（ＰＨＹ）プロトコルデータユニット（ＰＰＤＵ）内にカプセル化されたＭＡＣプロトコルデータユニット（ＭＰＤＵ）は無線ＬＡＮトランシーバ２６０に伝送され、そしてそれから受信される。ＭＰＤＵはフレームとも呼ばれる。単一のＭＰＤＵが単一のＰＰＤＵ内にカプセル化される時には、時々ＰＰＤＵは１フレームと呼ばれることができる。代替の実施形態は任意の変換技術を使用することができ、そして術語は代替の実施形態で変わってもよい。いろいろなＭＡＣ  ＩＤに対応するフィードバックはいろいろな目的のための物理層プロセッサ２２０から戻されてもよい。フィードバックは、（ユニキャストチャネルと同様にマルチキャストを含む）チャネルのためのサポートできるレート、変調フォーマット、およびいろいろな他のパラメータを含む、任意の物理層情報を備えることができる。
【００３４】
プロセッサ２２０は汎用マイクロプロセッサ、ディジタル信号プロセッサ（ＤＳＰ）、または専用プロセッサであってもよい。プロセッサ２２０はいろいろなタスク（詳細は図示せず）において支援すべき専用ハードウェアと接続されることができる。いろいろなアプリケーションは、外部接続コンピュータまたはネットワーク接続を介するような、外部接続プロセッサ上で走行することができ、無線通信装置１０４、１０６、または１０８（図示せず）内の追加のプロセッサ上で走行してもよく、あるいはプロセッサ２２０自身上で走行してもよい。プロセッサ２２０はメモリ２３０と接続されて示され、それはこの中に記述されたいろいろな手順および方法を実行するための命令と同様にデータを蓄積するために使用されることができる。この分野の技術者はメモリ２３０がいろいろなタイプの１つまたはそれ以上のメモリコンポーネントを備えることができること、それが全部または部分的にプロセッサ２２０内にはめ込まれることができることを認めるであろう。この中に記述された機能を実行するための命令およびデータを蓄積するほかに、メモリ２３０はまたいろいろなキューに関連するデータを蓄積するためにも使用されることができる。
【００３５】
無線ＬＡＮトランシーバ２６０は任意のタイプのトランシーバであってもよい。１例の実施形態では、無線ＬＡＮトランシーバ２６０はＭＩＭＯまたはＭＩＳＯインターフェイスで運用されることができるＯＦＤＭトランシーバである。ＯＦＤＭ、ＭＩＭＯおよびＭＩＳＯはこの分野の技術者には既知である。いろいろな例のＯＦＤＭ、ＭＩＭＯおよびＭＩＳＯトランシーバは、２００３年８月２７日提出、出願中の米国特許出願番号第１０／６５０，２９５号、タイトル“広帯域ＭＩＳＯおよびＭＩＭＯシステム用の周波数無依存の空間処理（ＦＲＥＱＵＥＮＣＹ−ＩＮＤＥＰＥＮＤＥＮＴ  ＳＰＡＴＩＡＬ−ＰＲＯＣＥＳＳＩＮＧ  ＦＯＲ  ＷＩＤＥＢＡＮＤ  ＭＩＳＯ  ＡＮＤ  ＭＩＭＯ  ＳＹＳＴＥＭＳ）”に詳述され、そして本発明の譲受人に譲渡される。代替の実施形態はＳＩＭＯまたはＳＩＳＯシステムを含んでもよい。
【００３６】
無線ＬＡＮトランシーバ２６０はアンテナ２７０Ａ〜Ｎと接続されて示される。任意数のアンテナがいろいろな実施形態においてサポートされることができる。アンテナ２７０はＷＬＡＮ１２０上で送受信するために使用される。
【００３７】
無線ＬＡＮトランシーバ２６０は１つまたはそれ以上のアンテナ２７０の各々と通信している空間プロセッサを備えてもよい。空間プロセッサは伝送用のデータを各アンテナについて別々に処理するかまたは全アンテナ上の受信信号を一緒に処理することができる。別々の処理の例はチャネル推定値、ＵＴからのフィードバック、チャネル反転、あるいはこの分野で既知の種々様々な技術に基づいてもよい。この処理は種々様々な空間処理技術の任意のものを使用して実行される。このタイプのいろいろなトランシーバはビーム成形、ビームステアリング、固有ステアリング(eigen-steering)、あるいは与えられたユーザ端末へのおよびからの処理能力を増加させるための他の空間的な技術を使用して送信できる。その中でＯＦＤＭ記号が伝送される、１例の実施形態では、空間プロセッサはＯＦＤＭサブチャネル、またはビンの各々を処理するためのサブ空間プロセッサを備えてもよい。
【００３８】
１例のシステムでは、ＡＰ（またはＵＴのような、任意のＳＴＡ）はＮアンテナを有することができ、そして１例のＵＴはＭアンテナを有することができる。したがってＡＰおよびＵＴのアンテナの間にはＭ×Ｎパスがある。これらの複数パスを使用している処理能力を改善するための種々様々な空間技術はこの分野では既知である。空間時間伝送ダイバーシティ（ＳＴＴＤ）システム（またはこの中では“ダイバーシティ”と呼ばれる）では、伝送データはフォーマットされて符号化され、そして単一ストリームのデータとして全アンテナの向こう側に送られる。Ｍ送信アンテナおよびＮ受信アンテナで形成されることができるＭＩＮ（Ｍ，Ｎ）の別々のチャネルがあり得る。空間多重化はこれらの別々のパスを開発し、そして伝送レートを増加させるために、別々のパスの各々で異なるデータを送信できる。
【００３９】
ＡＰとＵＴとの間のチャネルの特性を知るかまたはそれに適合させるためのいろいろな技術が知られている。独特のパイロットが各送信アンテナから送信されることができる。この場合には、パイロットは各受信アンテナで受信され、そして測定される。チャネル状態情報のフィードバックはその後送信で使用中の送信装置に返されることができる。測定されたチャネルマトリクスの固有分析がチャネル固有モードを決定するために行われることができる。受信器でチャネルマトリクスの固有分析を避けるために、代替の技術は受信器で空間処理を単純化するためにパイロットおよびデータの固有ステアリングを使用することである。
【００４０】
従って、現在のチャネル条件次第で、データレートを変更することはシステムの全体を通していろいろなユーザ端末への伝送に利用可能である。特に、ＡＰと各ＵＴとの間の特定のリンクは、ＡＰから１つ以上のＵＴに共有されることができるマルチキャストまたはブロードキャストリンクよりも高性能であることができる。無線ＬＡＮトランシーバ２６０はいったいどちらの空間処理がＡＰとＵＴとの間の物理リンクのために使用されているかに基づいて維持できるレートを決定することができる。この情報は将来の処理における、例えば、ＭＡＣ層での使用のためにフィードバックされてもよい。
【００４１】
実例のために、メッセージ復号器２４０は無線ＬＡＮトランシーバ２６０とプロセッサ２２０との間に展開される。１例の実施形態では、メッセージ復号器２４０はプロセッサ２２０、無線ＬＡＮトランシーバ２６０、他の回路、またはそれの組合わせ内で実行されることができる。メッセージ復号器２４０はシステム内の通信を実行するための任意数の制御データまたはシグナリングメッセージを復号するのに適している。１つの例では、メッセージ復号器２４０は、下記されたように、ＰＰＤＵフィールドを受信して復号するに適している。いろいろな他のメッセージはこの分野で周知の任意数のメッセージ復号化技術を使用して復号されることができる。メッセージ符号器２５０は同様にプロセッサ２２０と無線ＬＡＮトランシーバ２６０との間に展開されることができ（そしてまたプロセッサ２２０、無線ＬＡＮトランシーバ２６０、他の回路、またはそれの組合わせ内の全体または部分において実行されてもよく）、そしてまさに記述されたそれらのようなメッセージの符号化を実行することができる。メッセージ符号化および復号化の技術はこの分野の通常の技術者には周知である。
【００４２】
図３は、ＰＬＣＰプリアンブル３７５（１２ＯＦＤＭ記号）、ＰＬＣＰヘッダ３１０、可変長ＰＳＤＵ３４５、６ビットテール３５０、および可変長パッド３５５を備えているレガシー８０２．１１ａ／ｇＰＰＤＵ３７０を描写する。ＰＰＤＵ３７０の部分３６０はレート＝１／２でＢＰＳＫを使用して伝送されたシグナルフィールド（１ＯＦＤＭ記号）、およびシグナル３８０内に示された変調フォーマットおよびレートで伝送された、可変長データフィールド３８５を備える。ＰＬＣＰヘッダ３１０はシグナル３８０および（データ３８０内に含まれ、そしてそれのフォーマットに従って伝送された）１６ビットサービスフィールド３４０を備える。シグナルフィールド３８０はレート３１５（４ビット）、予備フィールド３２０（１ビット）、長さ３２５（１２ビット）、パリティビット３３０、およびテール３３５（６ビット）を備える。シグナルフィールドは符号化されたＯＦＤＭ記号のための最も強い変調および符号化フォーマットを使用して伝送される。シグナルフィールド内のレートフィールドはＰＰＤＵのデータ部のための変調および符号化フォーマットを示す。８０２．１１−２００３に定義されたように、４ビットレートフィールドのビット４は不使用（常に０に設定）である。
【００４３】
８０２．１１ｎに関して、逆適合性のＰＰＤＵタイプが導入される。１例の実施形態では、拡張されたシグナルフィールドはレガシー８０２．１１のシグナルフィールド３８０と逆適合であるためにレガシーＰＬＣＰヘッダ内に導入される。レガシーシグナルフィールド３８０内のレートフィールド３１５の不使用値は新ＰＰＤＵタイプを定義するために設定される。この例の高処理能力システムは、２００４年１０月１３日提出の関連出願中の米国特許出願番号第１０／９６４，３３０号、タイトル“レガシーシステム相互運用性を有する高速媒体アクセス制御（ＨＩＧＨ  ＳＰＥＥＤ  ＭＥＤＩＡ  ＡＣＣＥＳＳ  ＣＯＮＴＲＯＬ  ＷＩＴＨ  ＬＥＧＡＣＹ  ＳＹＳＴＥＭ  ＩＮＴＥＲＯＰＥＲＡＢＩＬＩＴＹ）”内に開示され、本発明の譲受人に譲渡され、そして引用されてこの中（以下‘３３０アプリケーション）に組み込まれる。
【００４４】
‘３３０アプリケーションでは、いくつかの新ＰＰＤＵタイプが導入される。レガシーＳＴＡとの逆適合性に関して、ＰＬＣＰヘッダのシグナルフィールド内のレートフィールドはレート／タイプフィールドに修正される。レートの不使用値はＰＰＤＵタイプとして指示される。ＰＰＤＵタイプはまたシグナルフィールド拡張指示のシグナル２の存在および長さをも示す。レート／タイプフィールドのこれらの値はレガシーＳＴＡについて定義されない。従って、レガシーＳＴＡはシグナル１フィールドを成功裡に復号して、レートフィールド内の定義されていない値を見付け出した後にはＰＰＤＵの復号を断念してもよい。交互に、レガシーシグナルフィールド内の予備ビットは新クラスのＳＴＡにＭＩＭＯ  ＯＦＤＭ伝送を示すべく‘１’に設定されてもよい。ＳＴＡを受信することは予備ビットを無視して、シグナルフィールドを復号することと残存の送信を試みることを続けることができる。ＨＴ受信器はＰＰＤＵタイプに基づいてシグナル２フィールドの長さを決定することができる。
【００４５】
レガシー端末をだますための種々様々な方法があり、例えば、これらの端末が共有の媒体上で通信することを妨害させない。これは高処理能力システムのような、代替のシステムにこれらのレガシー端末からの妨害無しに共有の媒体上で動作させる。スプーフィングのための技術の特定の例は、事業グループからの現在のいくつかの提案、ＴＧｎＳｙｎｃ．ＷＷｉＳＥおよびＳｈａｒｐとして知られる提案の中に見つけられることができる。これらの提案は、それぞれ、以下の文書中で見つけられることができる：タスクグループｎへのＴｇｎＳｙｎｃ提案、文書０４／８８９ｒ０（１１−０４−０８８９−００−０００ｎ−ｔｇｎｓｙｎｃ−ｐｒｏｐｏｓａｌ−ｔｅｃｈｎｉｃａｌ−ｓｐｅｃｉｆｉｃａｔｉｏｎ．ｄｏｃ）；タスクグループｎへのＷＷｉＳＥ提案、文書０４／８８６ｒ０（１１−０４−０８６６−００−０００ｎ−ｗｗｉｓｅ−ｐｒｏｐｏｓａｌ−ｈｔ−ｓｐｅｃ．ｄｏｃ）；およびタスクグループｎへのＳｈａｒｐ−ＮＴＴ提案、文書０４／９３８ｒ２（１１−０４−０９３８−０２−００ｎ−ｐｒｏｐｏｓａｌ−８０２−１１ｎ．ｄｏｃ）。他の技術も提案されており、そしてタスクグループｎへのＱＵＡＬＣＯＭＭ提案、文書０４／８７０ｒ０（１１−０４−０８７０−００−０００ｎ−８０２−１１−ｈｔ−ｓｙｓｔｅｍ−ｄｅｓｃｒｉｐｔｉｏｎ−ａｎｄ−ｏｐｅｒａｔｉｎｇ−ｐｒｉｎｃｉｐｌｅｓ．ｄｏｃ）内に含まれる。これらの提案の各々は引用されてこの中に明確に組み込まれる。
【００４６】
図４は縮小機能性のユーザ端末においてレガシースプーフィングを検出するための方法４００の実例の実施形態を描写する。この一般化された実施形態はいくつかの局面を図示し、それのより詳細な実施形態はさらに下文に記述される。一般に、スプーフィングはレガシー端末と同じ共有媒体を使用している高処理能力端末との相互運用性を可能にするために実行される。上述したように、レガシー端末をだますこと、そしてそれらにある時間の間共有媒体を妨害することを止めさせることによって、共有媒体はその期間中、変調フォーマットおよび／またはレガシー端末によってサポートされない他のシステムパラメータで使用されることができる。このように、より高処理能力、より低パワー、増加された容量、等のような、強化通信が共有媒体内で実現されることができる。上記されたように、“スマート”でないレガシー端末は、いろいろな技術、さらに下記される例を使用してだまされることができる。
【００４７】
しかしながら、スプーフド端末がこの中に詳述されたいろいろな局面を使用して打ち勝つことができる欠点があるかもしれない。例えば、スプーフィング技術に気付いている縮小機能性のユーザ端末はスプーフィングが試みられる期間中、パワーを保存することを決定してもよい。このスマートなユーザ端末はスプーフィングの試みに協力するが、しかし有害な影響を受ける必要はない。１つまたはそれ以上の低パワー状態に入るためのいろいろな技術はこの分野では周知であり、そして任意のそのような技術は一度スプーフィングが検出されるスマートなレガシー端末によって使用されることができる。従って、スプーフィングを検出することはそのような縮小機能性のユーザ端末のために有用であるかもしれない。パワー節約（即ち、スプーフィングが検出されている間中休止しようとすることによる）のほかにユーザ端末はスプーフィングが検出される時に他のステップを取ってもよい。
【００４８】
例えば、スプーフィングを検出したレガシー端末は、このチャネルがいろいろな他の端末のために使用されていたことを知り、そして共有媒体にアクセスするための優先権について代わりのアクションを取ることができる。例えば、公正戦略(fairness strategy)はバックオフ（例えば、８０２．１１標準に述べられた、ＤＦＳ）のような技術を使用してユーザ端末に共有させるために、そして同様に各端末に共有媒体へのアクセスを持たせるために開発された。スプーフド端末は、その優先権を変更するか、バックオフ手順を修正するかのいずれかを決定するために、そして同様に、レガシーユーザ端末による共有媒体に公正なアクセスを与えるために、他のファクタの間で、スプーフ検出を使用することができる。例えば、８０２．１１ＭＡＣ手順は端末が受信不成功の後に従わねばならない手順を指定する。これらの手順はもしも端末がスプーフド中であることに気付けば修正されることができる。さらに、スプーフド手持ち式ボイスオーバＩＰ（ＶｏＩＰ）端末は近隣ＡＰの調査を行うためにスプーフド周期を使用し、そして音声呼ハンドオフを準備するために測定結果を使用することができる。この分野の技術者は、この中に記述されたように、一度スプーフィングが検出されると実行されることができるいろいろな他のアクションを認めるであろう。
【００４９】
方法４００の実例の実施形態は４１０で始まり、ここで逆適合性のＰＰＤＵフォーマットが送信される。上で引用された提案の標準に記述されたように、より新しい仕様はそれによってレガシー端末が少なくともＰＰＤＵの一部を受信して復号することができる方法で送信されるＰＰＤＵを含むことができる。例えば、上記されたような、ＰＬＣＰヘッダ３１０を有するＰＰＤＵが送信されることができる。ＰＰＤＵは、上で‘３３０アプリケーション内で詳述されたように、１つまたはそれ以上の方法で修正されることができる。この分野の技術者はレガシーシステムに適合した１つまたはそれ以上のセクションを有するＰＰＤＵを送信するために多数の他の方法を認めるであろう。
【００５０】
４２０で、高処理能力フォーマットインジケータ（またはそれについてレガシー端末との適合性が望まれる任意のタイプの通信標準のインジケータ）が含まれることができる。従って、もしもスプーフィングが望まれれば、その時少なくとも部分的に逆適合性のＰＰＤＵフォーマットは４１０で伝送され、同時にインジケータはＨＴ装置にＰＰＤＵ伝送の高処理能力フォーマットを示すために高処理能力装置により復号可能であることができる４２０で使用される。ある事例では、逆適合性のＰＰＤＵフォーマットはレガシー局にまたはそれから伝送されることができ、従って、高処理能力インジケータはこれらのＰＰＤＵについては含まれないであろう。インジケータはレガシー端末がだまされるべきである時には含まれ、そして非レガシー端末（即ち、ＨＴ端末）は伝送されたＰＰＤＵに応じてある代替のステップを行うべきである。
【００５１】
４３０で、縮小機能性のユーザ端末は高処理能力インジケータが送信されたかどうかを検出しようと試みる。もしもそうであれば、４４０に進む。もしもそうでなければ、４６０で、レガシーＰＰＤＵは送信された。ユーザ端末はレガシー手順に従ってＰＰＤＵを復号することを続けるであろう。その後手順は停止することができる。
【００５２】
４４０で、もしも高処理能力インジケータが検出されたならば、その時スプーフィングは検出された。ユーザ端末はレガシープロトコルによって要求されるようにＰＰＤＵの持続期間の間チャネルを妨害することを止めるであろう。この持続期間の間、ユーザ端末は、その例が上で述べられた、種々様々なステップの１つを取ることができる。この持続期間を検出するためのいくつかの実例の技術がさらに下記される。
【００５３】
４５０で、この例では、高処理能力インジケータの検出時に、ユーザ端末は高処理能力ＰＰＤＵの持続期間の間チャネルを使用することをディスエーブルにする。従って、この例では、ユーザ端末は電池寿命を保存するために低パワー状態に入ることができる。いろいろな実施形態で、上述されたような、低パワーのレベルを変更することまたは休止状態は配置されることができ、そしてスプーフィングが検出された時にユーザ端末によって実行されることができる。
【００５４】
それの例が上述された実例の提案内に与えられる、いろいろなスプーフィング技術は、レガシーＳＴＡをだますために、シグナルフィールドの長さおよびレートフィールドを使用することができる。上で検討されたように、（もしそれがスプーフィングを検出しなければ）レガシーノードはシグナルフィールドを受信して、指定されたレート内のパケットの残りを復号し始め、そして長さ／レート時間の終わりまでそうすることを続けるであろう。
【００５５】
これらの実施形態では、（長さ／レート）−（ＥＩＦＳ−ＤＩＦＳ）が意図されたＮＡＶ持続期間と等価であるように、スプーフィングは長さおよびレートフィールドの特性を使用する。レートフィールドを全レガシーＳＴＡによって復号されることができる値に設定することによって、これらの２つのフィールドによってだまされるレガシーノードはこの（長さ／レート）−（ＥＩＦＳ−ＤＩＦＳ）時間の間伝送を開始させないで、この時間の間受信を続けるであろう。８０２．１１ｎについて提案されたいろいろな高処理能力の実施形態に記述されたような、１例の実施形態では、レートは６Ｍｂｐｓに設定されることができ、そして長さフィールドは高処理能力ＰＰＤＵの長さをカバーするためにそのような手法で計算されることができる。この方法では、伝送制御はレガシーノードの機構を変えること無しに達成されることができる。
【００５６】
この技術を使用して、同じ“長さ／レート”を達成するために、長さおよびレートの多数の組合わせがあり得る。それでスプーフ開始者はこの組合わせの間に選択する自由を与えられることができる。この例では、開始者が設定できる最大のスプーフ持続期間はパケットの最大長および最初のプロトコルが耐えることができる最小レートによって決定される。
【００５７】
１例の８０２．１１の実施形態では、実際のパケット長はスプーフド長未満であり得るので、信号エネルギーレベルはパケットの受信中下がるかもしれない。しかし、ＩＥＥＥ８０２．１１ａ  ＭＡＣ仕様書（ＩＥＥＥ標準８０２．１１ａ−１９９９、３７ページ、図１２５参照）に従って、レガシーノードは長さおよびレートフィールドを守り、そして長さ／レート用のチャネルは不活性のままである。
【００５８】
８０２．１１ｎのような、実例のＨＴシステム内で使用している、代替の実施形態では、スプーフドシグナルフィールドは８０２．１１ｎＳＴＡ（即ち、ＨＴ  ＵＴ）によって復号されることができる拡張シグナルフィールドによってフォローされる。拡張シグナルフィールドは８０２．１１ｎノードが使用するであろう真実のレートおよび真実の長さを含むであろう。しかしながら、レガシーシグナルフィールドを復号した後に、８０２．１１ｎノードは、シグナルフィールドがスプーフドであり、そして（統一されたレートで送られた）拡張シグナルフィールドによってフォローされるか、あるいはパケットがレガシー“非スプーフド”であり、そしてシグナルフィールド内で指定されたレートで符号化されたＭＡＣヘッダによってフォローされるかを知らないであろう。あるインジケータは８０２．１１ｎＳＴＡに拡張シグナルフィールドの存在を検出させるべく定義される必要がある。
【００５９】
ＴＧｎＳｙｎｃ提案内にそのようなインジケータとして提案された１つの方法は以下のようである。８０２．１１ｎＳＴＡに拡張シグナルフィールドの存在を検出させるために、拡張シグナルフィールド用のＢＰＳＫ信号は、レガシーＰＬＣＰシグナルフィールドに関して、９０度位相回転で送信される。高処理能力フォーマットインジケータを含んでいるための配列の実例の実施形態は図５に描写される。８０２．１１ｎ装置は２つの前提をテストするであろう：それはシグナルフィールド内に示された配列を復調しようと企てるであろうし、そして同時にそれの原型から９０度のＢＰＳＫ配列を復調しようと企てるであろう。
【００６０】
２つの配列を並列に復調することを企てた後に、拡張シグナルフィールドの与えられた長さについて、８０２．１１ｎノードは９０度位相シフトされたＢＰＳＫ配列の出力を取り、拡張シグナルフィールドを復号し、そしてそれのＣＲＣをチェックするであろう。もしもＣＲＣが受かれば、それはこれが８０２．１１ｎＰＰＤＵであることを認めて、拡張シグナルフィールド内に指定された真実のレートおよび真実の長さを使用しているＭＡＣヘッダを復号し続けるであろう。もしもＣＲＣが落ちれば、それはこれがレガシーＰＰＤＵであり、そしてそれが受信していたレガシーＭＡＣヘッダを実行することを認めるであろう。これら２つの前提は並列にテストされることができる。さらに、これらの前提をテストするための他の方法は、例えば、マッチドフィルタまたは相関性検出器を使用して、およびこの前提をテストするためにエネルギー閾値を使用して可能である。
【００６１】
レガシーユーザ端末はレガシーＢＰＳＫ復調用の配列５１０を使用するであろう。高処理能力ユーザ端末は、上述されたように、９０度位相シフトにある、ＨＴ配列５２０と同様にレガシーＢＰＳＫ配列５１０を使用するであろう。この分野の技術者は、ＰＰＤＵの１つまたはそれ以上のセグメントについて、高処理能力インジケータとして使用されるべき１つまたはそれ以上のフィールドを送信するために、いろいろな代替の配列が使用されてもよいことを認めるであろう。この方法においてスプーフィングレガシーＳＴＡを有する１つの問題は、それらがこれらのＰＰＤＵを復調して復号しようと企てるので、レガシーＳＴＡで不必要な電池消耗という結果になるかもしれないということである。
【００６２】
図６は逆適合性のＰＰＤＵ内の高処理能力インジケータを含むための方法の実例の実施形態を描写する。上述された、図４における４２０としての展開に適している、６１０で、局は（上で詳述された、ＰＰＤＵ３７０のような）レガシーＰＰＤＵにそれぞれ位相シフト（または他の変調フォーマット差）を有している１つまたはそれ以上のセグメントとともに１ＰＰＤＵを送信する。
【００６３】
代替の１実施形態では、レートフィールド（または設定している他のフィールド）の不使用値は高処理能力インジケータとして使用されることができる。代替の実例の高処理能力フォーマットインジケータが図７に描写される。７１０で、ＰＬＣＰフィールドは非レガシーモードを示すべく設定される。これは、上記された、図４におけるステップ４２０のような展開に適している。レートフィールド内の予備ビットや不使用レートまたはタイプのような、いろいろな実例のフィールド設定がこの中で詳述された。この分野の技術者は任意のフィールド値は非レガシーモード伝送を示すように修正されてもよいことを認めるであろう。
【００６４】
１つの実施形態では、ＰＬＣＰヘッダのシグナルフィールド内のレートフィールドは（前述の‘３３０アプリケーション内に記述されたように）レート／タイプフィールドに修正される。レートの不使用値はＰＰＤＵタイプとして表される。ＰＰＤＵタイプはまた、シグナル２として表された、シグナルフィールド拡張の存在と長さとを示す。この分野の技術者には明白であるだろうように、いろいろなＰＰＤＵタイプが定義されることができる。これらのレート／タイプフィールドはレガシーＳＴＡについては定義されない。従って、シグナル１フィールドを成功裡に復号し、そしてレートフィールド内の定義されない値を見つけ出して、レガシーＳＴＡはＰＰＤＵの残りの復号を中止し、そして媒体が再度空きになった時を決定するためにクリアチャネルアセスメント（ＣＣＡ）を試みることができる。
【００６５】
レガシーＳＴＡはエネルギー検出またはＣＣＡのためのプリアンブルの前部との相関性のどちらかを使用できる。受信処理の複雑性の小部分のみがＰＰＤＵ復調および復号と比較してＣＣＡのために必要であり、従って同様により低くなるであろうスプーフィングの影響はスプーフドレガシー端末をこのコースのアクションにフォローさせねばならない。それにもかかわらず、これらの実例の両方のスプーフィング提案はレガシーＳＴＡでの不必要な電池消耗という結果になる。定義されないレート値が使用される第２の方法は、ＣＣＡ回路がレガシーＳＴＡでの完全な復号化チェーンよりも少ない電流を消耗するので、より低い電池消耗という結果になることができる。それで、図４で上述されたように、スプーフィングを検出すること（即ち、高処理能力フォーマットインジケータを検出すること）はそのような電流消耗を避けるために望ましいかもしれない。
【００６６】
図８は高処理能力フォーマットインジケータを検出するための方法４３０の実例の実施形態を描写する。この方法は図５および６に関して上述されたような高処理能力フォーマットインジケータ技術の使用に適している。８１０で、ユーザ端末は同相、またはレガシー、配列を使用しているＰＬＣＰヘッダ内の信号フィールドを復号する。８２０で、ユーザ端末は位相シフトを有する信号フィールドを復号する。この分野における技術者には明白であるであろうように、ＰＬＣＰヘッダ、またはＰＰＤＵの任意の部分は位相シフト（または他の変調フォーマットインジケータ）を決定するために復号されることができる。
【００６７】
８３０で、もしも位相シフトエネルギーが検出されれば、その時スプーフィングは８４０で示されたように検出される。もしもそうでなければ、８５０で示されたように、スプーフィングは示されない。１つまたはそれ以上の位相内のエネルギーを検出するためのいろいろな技術はこの分野では周知である。これらの技術の任意の１つはこの中に記述された任意の実施形態内で展開されることができる。高処理能力フォーマットインジケータは両配列５１０および５２０上での、または配列５２０のような、単一の配列上での伝送によって示され得ることに注意されたい。
【００６８】
１つの実施形態では、縮小機能性のユーザ端末は、上述されたように、高処理能力装置と同様の内容で復号を実行できる。例えば、拡張信号フィールドを決定するために与えられた長さについて両配列を並列に復号することができ、ＣＲＣをチェックし、そしてその後信号フィールド内に指定された真実のレートおよび真実の長さを使用する。代替の実施形態では、比較的により低いユーザ機能性のユーザ端末で、両位相内の簡単なエネルギー検出およびそれの比較がスプーフィングが展開されているかを決定するために使用されることができる。
【００６９】
図９は高処理能力フォーマットインジケータを検出するための方法９３０の代替の実施形態を描写する。この方法は図７に関して上述されたような高処理能力フォーマットインジケータ技術とともに使用するのに適している。９１０で、ユーザ端末はレガシー手順を使用してＰＬＣＰヘッダを復号する。９２０で、もしも不使用または予備フィールド値がＰＬＣＰヘッダ内に設定されていれば、スプーフィングが検出されるように、９３０に進む。もしもそうでなければ、９４０に示されたように、スプーフィングは検出されない。上述されたように、予備ビット、不使用ビット、不使用タイプ、および同様のものを含む、任意のフィールドは高処理能力インジケータとして使用されることができ、示されたように、ステップ９２０で検出されることができる。
【００７０】
この中に詳述されたような１つまたはそれ以上の局面を展開しているユーザ端末の実施形態は、上述されたように、チャネルをオフのままにすることによってスプーフィングの試みに適合することを望むことができる。レガシーまたは縮小機能性のユーザ端末が、図４内のステップ４４０に関して、上述されたように、チャネル上で停止中である正確な持続期間を決定するためにいろいろな技術が使用されることができる。以下はこのような技術の２つの例である。これらは、上述されたように、任意のタイプの高処理能力インジケータとともに使用されることができる。一般に、レガシー信号フィールド内のレートおよび長さフィールドは、上述されたように持続期間を決定するために、使用されることができる。即ち、もしもそのように装備されれば、縮小機能性のユーザ端末は回転ＢＰＳＫ変調の存在を検出し、拡張シグナルフィールドを復調し、そしてＨＴ  ＰＰＤＵの真実のレートおよび長さを決定するように設計されることができる。このようにそれはレガシーシグナルフィールド内に設定されたレートおよび長さフィールド値によって示されたスプーフド期間よりはむしろＰＰＤＵの正確な残存期間を決定することができる。定義されなかったレート値が使用される場合について、レガシーＳＴＡは同様に拡張シグナルフィールドのフォーマットを決定し、そして８０２．１１ｎＰＰＤＵの期間を決定するためにそれを復号することができる。
【００７１】
高処理能力ＰＰＤＵの持続期間を決定するための方法４４０の実例の実施形態が図１０に示される。この例では、４４０で、ユーザ端末は信号フィールドから高処理能力ＰＰＤＵの持続期間を復号するであろう。信号フィールド内のＰＰＤＵの持続期間を含むことについての種々様々な技術がある。例えば、上記されたように、レートおよび長さ、それの積はタイム持続期間を示す。
【００７２】
１０１０で、ユーザ端末は共有チャネルから離れている期間を決定するためにシグナルフィールドからの長さおよびレートを使用することができる。このステップ１０１０は、図４に関して上述された、方法４００内の４４０のような展開に適している。
【００７３】
図１１は高処理能力ＰＰＤＵの持続期間を復号するための方法の代替の実施形態を描写する。１１１０は上で詳述された方法４００内のステップ４４０のような展開に適している代替の技術である。この例では、拡張シグナルフィールドはＰＰＤＵ内に含まれる。この拡張フィールドはＰＬＣＰヘッダの任意の部分、またはＰＰＤＵの他の部分内に組み込まれてもよい。それはレガシー局によって識別できる変調フォーマットおよびレートを使用して伝送されることができ、あるいは他のフォーマットを使用して伝送されてもよい。１１１０で、拡張シグナルフィールドはＰＰＤＵの真実の長さを決定するために復号される。いろいろな実施形態では、縮小機能性のユーザ端末は機能性のレベルを変更することで展開されることができる。従って、ある縮小機能性のユーザ端末はレガシー標準内に詳述されたものよりほかの変調フォーマットで受信するように装備されてもよい。端末は拡張シグナルフィールドからのこの情報を復号することができ、そして共有チャネルにアクセスすることを止めるためにこの持続期間を使用することができる。
【００７４】
いろいろな実施形態では、（不公平を避けるためにバックオフを減らすこと、低パワー状態に入ること、代替の通信タスクを実行すること、等のような）代替のステップはスプーフィングが検出される時に実行されることができる。従って、すべてのこれらのシナリオでは、レガシーＳＴＡはその伝送が復調および復号することができない８０２．１１ｎＳＴＡによって媒体が占有された時に不必要な電池消耗を避けることができる。
【００７５】
図１２は無線通信装置１０６の代替の実施形態を描写する。メッセージは受信器１２１０で受信される。受信器１２１０は、それの例が上記される、この分野で既知の任意のタイプの受信器であってもよい。この例では、メッセージの第１の部分は第１の通信フォーマットで送信される。メッセージの第２の部分が第２の通信フォーマットで伝送されるべきである時には、このメッセージも、それの例が上述される、代替のフォーマットインジケータを備える。受信メッセージは代替のフォーマットインジケータ１２２０を検出するための手段に伝送される。オプションとして、示されたように、受信メッセージはこのメッセージの持続期間を決定するための手段１２３０に送信されることができる。希望するなら、１つまたはそれ以上の追加ブロックが含まれてもよい。例えば、代替のフォーマットインジケータの検出時にパワーを低減させるための手段１２４０が展開されてもよい。この手段は手段１２２０内で決定したような検出された代替のインジケータに応じて動作することができる。もしも手段１２３０への接続が展開されれば、決定された持続期間はまたパワーを低減するやり方、および／または期間長を決定するためにも使用されることができる。もう１つの例は代替のフォーマットインジケータ（即ち、手段１２２０から）の検出時に代替の通信チャネル上で通信するための手段１２５０である。再び、もしも手段１２３０が展開され、そして手段１２５０への接続が展開されれば、決定された持続期間はいかに長くおよび／またはどんな様式で代替の通信が起こるべきかを決定することに使用されることができる。いろいろな他の手段が展開されてもよく、この中に詳述されるそれの例は、代替のフォーマットインジケータの検出時に使用可能である。
【００７６】
図１３は代替のフォーマットインジケータ１２２０を検出するための手段の実例の実施形態を描写する。この例では、位相シフトを検出するための手段１３１０は受信メッセージから代替のフォーマットインジケータを検出するように展開される。そのような手段についての実例は上で詳述される。図１４は代替のフォーマットインジケータ１２２０を検出するための手段の代替の実例の実施形態を描写する。この例では、設定されている代替のフォーマットインジケータフィールドを検出するための手段１４１０は受信メッセージから代替のフォーマットインジケータを検出するように展開される。そのような手段のための実例も上で詳述される。
【００７７】
この分野の技術者は、情報および信号が種々様々な異なるテクノロジーおよびテクニックのいずれかを使用して表され得ることを理解するであろう。例えば、上記説明の全体を通して参照される可能性があるデータ、指示、命令、情報、信号、ビット、記号、およびチップは、電圧、電流、電磁波、磁界または粒子、光学界または粒子、あるいはそれの任意の組合わせにより表されることができる。
【００７８】
技術者はこの中に開示された実施形態に関して記述されたいろいろな実例となる論理ブロック、モジュール、回路、およびアルゴリズムステップは電子ハードウェア、コンピュータソフトウェア、または両者の組合わせとして実施され得ることをさらに認識するであろう。ハードウェアおよびソフトウェアのこの互換性を明確に説明するために、いろいろな実例となるコンポーネント、ブロック、モジュール、回路およびステップは、一般にそれらの機能性の表現で上述された。そのような機能性がハードウェアまたはソフトウェアとして実施されるかどうかはシステム全体に課された特定のアプリケーションと設計の制約とによる。熟練技工は各特定のアプリケーションについて異なる方法で記述された機能性を実施できるが、しかしそのような実施の決定が本発明の範囲からの逸脱を引き起こすと理解されてはならない。
【００７９】
この中に開示された実施形態に関して記述されたいろいろな実例となる論理ブロック、モジュール、および回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）または他のプログラマブル論理装置、ディスクリーとゲートまたはトランジスタ論理、ディスクリートハードウェアコンポーネント、あるいはこの中に記述された機能を実行するように設計されたそれの任意の組合わせで実施または実行されることができる。汎用プロセッサはマイクロプロセッサであってもよいが、しかし代替案では、プロセッサは任意の従前のプロセッサ、コントローラ、マイクロコントローラ、またはステートマシンであってもよい。プロセッサはまた計算装置の組合わせ、例えば、ＤＳＰとマイクロプロセッサとの組合わせ、複数のマイクロプロセッサ、ＤＳＰコアとともに１つまたはそれ以上のマイクロプロセッサ、あるいは任意の他のそのような構成として実施されてもよい。
【００８０】
この中に開示された実施形態に関して記述された方法のステップまたはアルゴリズムはハードウェアで、プロセッサにより実行されるソフトウェアモジュールで、またはこの２つの組合わせで直接具体化されることができる。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、着脱可能形ディスク、ＣＤ−ＲＯＭ、あるいはこの分野において既知の任意の他の形式の蓄積媒体に属してもよい。典型的な蓄積媒体はプロセッサに連結され、そのようなプロセッサはこの蓄積媒体から情報を読み取り、それに情報を書き込むことができる。代替案では、蓄積媒体はプロセッサに一体化されることができる。プロセッサと蓄積媒体とは１つのＡＳＩＣ内に存在してもよい。ＡＳＩＣはユーザ端末内に存在してもよい。代替案では、プロセッサと蓄積媒体とはディスクリートコンポーネントとして１つのユーザ端末内に存在してもよい。
【００８１】
開示された実施形態の前の説明はこの分野の任意の技術者が本発明を製作または使用することを可能とするように提供される。これらの実施形態へのいろいろな変更は、この分野の技術者にはたやすく明白であるだろうし、そしてこの中に定義された包括的な原理はこの発明の精神または範囲から逸脱すること無しに他の実施形態に適用されてもよい。従って、本発明はこの中に示された実施形態に限定されるつもりはなく、しかしむしろこの中に開示された原理および新規な特徴と矛盾しない最も広い範囲が許容されるべきである。
【図面の簡単な説明】
【００８２】
【図１】多数のユーザをサポートすることができる無線通信システムを示す一般的なブロック図。
【図２】無線通信装置の実例の実施形態を示す図。
【図３】レガシー８０２．１１ＰＰＤＵを示す図。
【図４】レガシースプーフィングを検出するための方法の実例の実施形態を示す図。
【図５】高処理能力フォーマットインジケータを形成するために使用された配列の実例の実施形態を示す図。
【図６】高処理能力インジケータを送信するための方法の実例の実施形態を示す図。
【図７】高処理能力フォーマットインジケータを送信するための方法の代替の実例の実施形態を示す図。
【図８】高処理能力フォーマットインジケータを検出するための方法の実例の実施形態を示す図。
【図９】高処理能力フォーマットインジケータを検出するための方法の代替の実施形態を示す図。
【図１０】高処理能力ＰＰＤＵの持続期間を決定するための方法の実例の実施形態を示す図。
【図１１】高処理能力ＰＰＤＵの持続期間を復号化するための方法の代替の実施形態を示す図。
【図１２】無線通信装置の代替の実施形態を示す図。
【図１３】代替のフォーマットインジケータを検出するための手段の実例の実施形態を示す図。
【図１４】代替のフォーマットインジケータを検出するための手段の代替の実例の実施形態を示す図。
【符号の説明】
【００８３】
１０２…ネットワーク、１０４…アクセスポイント、１０６Ａ〜１０６Ｎ…ユーザ端末、１０８Ａ〜１０８Ｎ…ＨＴユーザ端末、２１０…トランシーバ、２２０…プロセッサ、２４０…メッセージ復号器、２５０…メッセージ符号器、２６０…無線ＬＡＮトランシーバ
【図１】
2008516530.tif 000003
【図２】
2008516530.tif 000004
【図３】
2008516530.tif 000005
【図４】
2008516530.tif 000006
【図５】
2008516530.tif 000007
【図６】
2008516530.tif 000008
【図７】
2008516530.tif 000009
【図８】
2008516530.tif 000010
【図９】
2008516530.tif 000011
【図１０】
2008516530.tif 000012
【図１１】
2008516530.tif 000013
【図１２】
2008516530.tif 000014
【図１３】
2008516530.tif 000015
【図１４】
2008516530.tif 000016
【国際調査報告】
2008516530.tif 000017
2008516530.tif 000018
2008516530.tif 000019